(57)【要約】【課題】  可動障子を遠隔操作で開閉可能であり、かつスムーズに開閉することができる上げ下げ窓を提供すること。【解決手段】  上げ下げ窓は、窓枠と、障子２０と、障子２０の左右両端に連結された一対のロープ６５１，６５２とを備える。ロープの他端はバランサー装置６５５に連結され、途中は一対の回転ドラム６５６，６５７に巻かれている。各回転ドラムはロッド棒６６０で連結され、ダイヤル６１０の操作に応じて同期して回転する。各回転ドラム６５６，６５７を遠隔操作により同期回転させると、回転ドラムに巻かれたロープの巻き上げ量や繰り出し量が同一になり、障子２０は傾くことなくスムーズに開閉する。【選択図】  図６
2006266013.tif 000002
【特許請求の範囲】
【請求項１】
上枠、下枠、および左右の縦枠を有する窓枠と、
この窓枠内に支持されて上下方向に開閉可能な可動障子と、
可動障子の左右両端にそれぞれ連結された一対のロープと、
可動障子の上方に設けられて前記各ロープが巻かれた一対の回転ドラムと、
各回転ドラムの回転を同期させる同期手段と、
遠隔操作に応じて前記各回転ドラムを回転させて回転ドラムに巻かれたロープの巻き上げや繰り出しを行う回転駆動手段と、
前記各ロープに加わる可動障子の荷重を支持するバランサー装置とを備える上げ下げ窓。
【請求項２】
前記回転駆動手段は、窓枠部分に設けられた手動操作部と、この手動操作部によって加えられる回転力を前記各回転ドラムに伝達する回転伝達手段とを備える請求項１に記載の上げ下げ窓。
【請求項３】
前記回転駆動手段は、スイッチと、このスイッチの操作に応じて回転駆動されるモータと、このモータの回転力を前記各回転ドラムに伝達する回転伝達手段とを備える請求項１に記載の上げ下げ窓。
【請求項４】
前記各ロープは、一端が前記可動障子にそれぞれ取り付けられ、他端が前記バランサー装置にそれぞれ取り付けられ、中間部が前記各回転ドラムに巻かれている請求項１から請求項３のいずれかに記載の上げ下げ窓。
【請求項５】
前記各ロープは、一端が前記可動障子にそれぞれ取り付けられ、他端が前記各回転ドラムに取り付けられ、
前記ロープを介して回転ドラムに伝達されて回転ドラムを所定の方向に回転させようとする可動障子の荷重を、バランサー装置に伝達する荷重伝達手段を備える請求項１から請求項３のいずれかに記載の上げ下げ窓。
【請求項６】
前記同期手段は各回転ドラムを連結するロッド棒により構成され、このロッド棒は、第１ロッド部材およびこの第１ロッド部材に対して軸回りの取付角度を調整可能に連結された第２ロッド部材とを備え、第１ロッド部材に一方の回転ドラムが連結され、第２ロッド部材に他方の回転ドラムが連結されている請求項１から請求項５のいずれかに記載の上げ下げ窓。
【請求項７】
前記回転ドラムは、前記同期手段によって同期して回転される回転軸と、この回転軸に対してその軸方向に所定範囲内でスライド移動可能に設けられ、かつ回転軸の回転に伴い回転可能に設けられた回転ドラム本体とを備え、
回転ドラムにおいてロープが巻かれる回転ドラム本体のロープ巻取面には螺旋状の溝が形成されている請求項１から請求項６のいずれかに記載の上げ下げ窓。
【請求項８】
前記回転駆動手段は、互いに噛合する少なくとも２個以上の歯車を備えている請求項１から請求項７のいずれかに記載の上げ下げ窓。
【発明の詳細な説明】
【技術分野】
【０００１】
本発明は、上げ下げ窓に関し、詳しくは、窓枠と、この窓枠内に支持された少なくとも上下二段の障子とを備えた上げ下げ窓に関する。
【背景技術】
【０００２】
住宅等の外壁開口部に設けられる窓（サッシ窓）として、上下一対の障子を備えた上げ下げ窓が知られている。
このような上げ下げ窓は、通常、手動操作で開閉され、可動障子の閉操作を小さな力でスムーズに行うとともに、適当な開度に可動障子を保持するために、バランサーが用いられている（例えば、特許文献１参照）。
【０００３】
このような上げ下げ窓では、窓枠の上枠の左右両端部にそれぞれ定荷重バネを有するバランサーを設け、可動障子の左右両端に各ワイヤの一端を取り付け、各ワイヤの他端を前記各バランサーに取り付けている。
【０００４】
【特許文献１】特許第３２９２８７９号公報
【発明の開示】
【発明が解決しようとする課題】
【０００５】
ところで、上げ下げ窓は、通常、可動障子を直接手で持ち上げることで開閉されるが、例えば、下部障子の高さ寸法を上部障子に比べて大きくした場合のように、上部障子が比較的高い位置に配置される場合には、上部障子を遠隔操作で開閉することが求められる場合があった。
このような遠隔操作で可動障子を開閉する場合には、可動障子を上下動させる際に可動障子が傾くおそれがあり、特に横長の可動障子は傾きやすいため、スムーズに開閉することが難しいという問題がある。
【０００６】
本発明の目的は、可動障子を遠隔操作で開閉可能であり、かつスムーズに開閉することができる上げ下げ窓を提供することにある。
【課題を解決するための手段】
【０００７】
本発明の上げ下げ窓は、上枠、下枠、および左右の縦枠を有する窓枠と、この窓枠内に支持されて上下方向に開閉可能な可動障子と、可動障子の左右両端にそれぞれ連結された一対のロープと、可動障子の上方に設けられて前記各ロープが巻かれた一対の回転ドラムと、各回転ドラムの回転を同期させる同期手段と、遠隔操作に応じて前記各回転ドラムを回転させて回転ドラムに巻かれたロープの巻き上げや繰り出しを行う回転駆動手段と、前記各ロープに加わる可動障子の荷重を支持するバランサー装置とを備えることを特徴とする。
【０００８】
ここで、回転駆動手段としては、例えば、窓枠部分に設けられたハンドルやダイヤル等の手動操作部と、この手動操作部によって加えられる回転力を伝達する歯車や、プーリおよびベルト等で構成された回転伝達手段とを備え、手動操作部を操作すると、前記同期手段によって各回転ドラムを同期して回転させることができるものが利用できる。
また、回転駆動手段としては、リモコンや窓枠部分に設けられたスイッチによって遠隔操作されて回転駆動されるモータと、このモータの回転力を前記回転ドラムに伝達する回転伝達手段とを備えるものでもよい。
【０００９】
以上の本発明によれば、前記手動操作やスイッチの操作によって回転駆動手段を遠隔操作すると、回転駆動手段の駆動力は各回転ドラムに伝達される。この際、各回転ドラムは同期手段によって同期して回転する。従って、各回転ドラムに巻かれて可動障子を吊り上げ支持する左右の各ロープは、各回転ドラムの同期回転に伴い、同じ長さだけ巻き上げられたり、繰り出される。このため、可動障子は、左右に傾くことなく、上框が水平な状態のまま上下に移動されるため、可動障子をスムーズに開閉できる。
また、回転駆動手段を遠隔操作で駆動すれば、各回転ドラムおよびロープを介して可動障子を開閉できるため、可動障子を利用者が直接持ち上げたりする必要がない。このため、壁において高い位置に設けられた上げ下げ窓であっても遠隔操作で容易に開閉することができる。
【００１０】
本発明の上げ下げ窓では、前記回転駆動手段は、窓枠部分に設けられた手動操作部と、この手動操作部によって加えられる回転力を前記各回転ドラムに伝達する回転伝達手段とを備えることが好ましい。
このような構成によれば、手動操作部によって可動障子を開閉することができるので、モータによって障子を開閉する場合のように、電気配線を設ける必要が無く、その分、上げ下げ窓の施工時の配線作業が不要になって施工作業性を向上できる。
【００１１】
本発明の上げ下げ窓では、前記回転駆動手段は、リモコンや窓枠部分に設けられたスイッチと、このスイッチの操作に応じて回転駆動されるモータと、このモータの回転力を前記各回転ドラムに伝達する回転伝達手段とを備えるものでもよい。
このような構成によれば、モータによって可動障子を開閉できるので、利用者の負担をより一層軽減できる。
【００１２】
本発明の上げ下げ窓では、前記各ロープは、一端が前記可動障子にそれぞれ取り付けられ、他端が前記バランサー装置にそれぞれ取り付けられ、中間部が前記各回転ドラムに巻かれていることが好ましい。
このような構成によれば、ロープの一端を可動障子側に取り付け、他端をバランサー装置に取り付けている従来の上げ下げ窓の構成に加えて、回転ドラム、同期手段、回転駆動手段を新たに設けることで本発明の上げ下げ窓を構成できる。このため、遠隔操作可能な上げ下げ窓を比較的安価に製造できる。
なお、ロープの回転ドラムへの巻数は、少なくとも１巻以上であれば良く、回転ドラムの回転に伴い、可動障子がスムーズに上下動する最適な巻数に設定すればよい。
【００１３】
本発明の上げ下げ窓では、前記各ロープは、一端が前記可動障子にそれぞれ取り付けられ、他端が前記各回転ドラムに取り付けられ、前記ロープを介して回転ドラムに伝達されて回転ドラムを所定の方向に回転させようとする可動障子の荷重を、バランサー装置に伝達する荷重伝達手段を備えることが好ましい。
ここで、荷重伝達手段としては、例えば、前記回転ドラムと一体に回転する歯車と、この歯車に噛合し、かつその回転軸が前記バランサー装置に連結された歯車とを備えて構成されたものなどが利用できる。また、回転軸とバランサー装置との連結は、例えば、バランサー装置の定荷重バネが巻き付けられたドラムの軸部分に角穴を形成し、前記歯車の回転軸にその角穴に嵌合する角軸を設けることで、バランサー装置を着脱自在に連結する構造などが利用できる。
【００１４】
このような構成によれば、バランサー装置に直接ロープを連結していないので、荷重伝達手段に対してバランサー装置をより簡単に交換することが可能となる。
このため、可動障子に組み込まれるガラス厚さの変更によって障子の重量が変化した場合や、バランサー装置が破損した際に、バランサー装置を容易に交換して対応することができる。
【００１５】
本発明の上げ下げ窓では、前記同期手段は各回転ドラムを連結するロッド棒により構成され、このロッド棒は、第１ロッド部材およびこの第１ロッド部材に対して軸回りの取付角度を調整可能に連結された第２ロッド部材とを備え、第１ロッド部材に一方の回転ドラムが連結され、第２ロッド部材に他方の回転ドラムが連結されていることが好ましい。
【００１６】
このような構成によれば、各回転ドラムを連結するロッド棒で同期手段を構成しているので、同期手段の構成が簡易になり、設置スペースも最小限に抑えることができ、コストも低減できる。
また、同期手段を構成するロッド棒を第１，２ロッド部材の２部材で構成し、かつ、第１ロッド部材に対して第２ロッド部材の軸回りの取付角度を調整可能に連結しているので、一方の回転ドラムに対する他方の回転ドラムの回転方向の取付角度を調整することができる。このため、各ロープを回転ドラムに巻いて可動障子に連結する初期設定時に、各ロープにおいて回転ドラムから可動障子までの繰り出し量が同一となって可動障子の上框が水平となるように容易に調整でき、可動障子が傾斜して配置されることを確実に防止できる。
【００１７】
本発明の上げ下げ窓では、前記回転ドラムは、前記同期手段によって同期して回転される回転軸と、この回転軸に対してその軸方向に所定範囲内でスライド移動可能に設けられ、かつ回転軸の回転に伴い回転可能に設けられた回転ドラム本体とを備え、回転ドラムにおいてロープが巻かれる回転ドラム本体のロープ巻取面には螺旋状の溝が形成されていることが好ましい。
【００１８】
このような構成によれば、回転ドラム本体は回転軸に対してスライド移動可能に設けられているので、回転ドラムを回転させた際に、各ロープを螺旋状の溝に沿ってスムーズに巻くことができる。このため、ロープ同士が擦れることがなく、擦れによる音の発生やロープの破損を防止できる上、ロープをスムーズに巻き上げたり、繰り出すことができ、ロープの巻き上げ量や繰り出し量を安定させることができる。
【００１９】
本発明の上げ下げ窓では、前記回転駆動手段は、互いに噛合する少なくとも２個以上の歯車を備えていることが好ましい。
このような構成によれば、ダイヤル等の手動操作部やモータの回転方向に対する可動障子の開閉方向や、手動操作部やモータの回転角度に対する可動障子の開閉移動量を、歯車の数や増減速比によって容易に設定できる。
【発明を実施するための最良の形態】
【００２０】
以下、本発明の各実施形態を図面に基づいて説明する。
なお、第２実施形態以降において、次の第１実施形態で説明する構成部材と同じ構成部材、および同様な機能を有する構成部材には、第１実施形態の構成部材と同じ符号を付し、それらの説明を省略または簡略化する。
【００２１】
〔第１実施形態〕
図１は、本発明の第１実施形態に係る建具である上げ下げ窓１を室外側から見た正面図である。図２は、上げ下げ窓１を示す縦断面図である。図３および図４は、それぞれ上げ下げ窓１を示す横断面図であって、図３は、上部障子位置における横断面図であり、図４は、下部障子位置における横断面図である。
図１〜図４において、上げ下げ窓１は、戸建て住宅等の建物の外壁２における開口部３に設けられて建物の室内空間と室外空間とを仕切るもので、下端位置が床面よりも所定寸法（例えば、６００mm〜９００mm）だけ高い位置に設けられた腰窓である。
【００２２】
上げ下げ窓１は、上枠１１、下枠１２、および左右の縦枠１３を四周枠組みした窓枠１０と、この窓枠１０の内側に開閉自在に支持された上部障子（上側の障子）２０および下部障子（下側の障子）３０とを備えて構成されている。窓枠１０は、開口部３周辺の柱や壁パネル等の建物躯体４に固定されている。上部障子２０および下部障子３０は、それぞれ上框２１，３１、下框２２，３２、および左右の縦框２３，３３を四周框組みした内部に、ガラスパネル（複層ガラス）２４，３４を嵌め込んで構成されている。また、窓枠１０の室外側には、外部ブラインド４０が設けられ、上部障子２０の室内側における窓枠１０には、網戸５０が取り付けられている。
【００２３】
上部障子２０および下部障子３０は、それぞれ窓枠１０の縦枠１３に案内されて上下にスライド可能に支持されるとともに、上部障子２０が下部障子３０よりも室外側に設けられている。すなわち、上部障子２０によって室外側障子が構成され、下部障子３０によって室内側障子が構成されている。そして、上部障子２０の下框（外召合せ框）２２と下部障子３０の上框（内召合せ框）３１とが見込み方向に重なって上げ下げ窓１が閉じられるようになっている。上部障子２０は、その上框２１が上枠１１に当接した閉鎖位置から、閉じた状態の下部障子３０の上框３１に上框２１が略重なる開放位置までの間を、開閉移動可能に構成されている。一方、下部障子３０は、その下框３２が下枠１２に当接した閉鎖位置から、その上框３１が上枠１１に近接する開放位置までの間を、開閉移動可能に構成されている。
【００２４】
また、上部障子２０の高さ寸法、つまり上框２１上端縁から下框２２下端縁までの長さ寸法は、下部障子３０の高さ寸法よりも小さく形成され、具体的には、上部障子２０は、下部障子３０の略半分の高さ寸法に設定されている。すなわち、下部障子３０が閉鎖位置にある状態で上部障子２０を開放位置まで全開した場合には、上部障子２０が下部障子３０の略上半分の室外側に重なった状態となり、この上部障子２０の上方に開口が形成されて上げ下げ窓１が開かれるようになっている。このように、上部障子２０を下部障子３０の略半分の高さ寸法に設定したことで、上部障子２０を全開すれば、この上部障子２０の上下框２１，２２および下部障子３０の上框３１によって、窓枠１０の内部が上下に略三等分された略目の字形の外観（または内観）となり、バランスのよい良好な意匠性が得られる。
一方、上部障子２０が閉鎖位置にある状態で下部障子３０を開放位置まで全開した場合にも、下部障子３０の略上半分が上部障子２０および網戸５０の室内側に重なった状態となり、下部障子３０の下方に開口が形成されて上げ下げ窓１が開かれるようになっている。
【００２５】
次に、図５〜図１０も参照して可動障子である上部障子２０を上下動させる遠隔操作装置６００について説明する。
遠隔操作装置６００は、手動操作部であるダイヤル６１０と、ダイヤル６１０の回転動作を伝達する回転伝達手段６２０と、回転伝達手段６２０によって伝達された回転動作によって上部障子２０を上下方向にスライド移動して開閉する障子開閉手段６５０とを備えて構成されている。
【００２６】
ダイヤル６１０は、略円盤状に形成され、上げ下げ窓１（縦枠１３）の左右見付け方向の回転軸に対して回転可能に設けられている。このダイヤル６１０の一部は、縦枠１３の室内面から室内側に突出されており、この突出部分を利用者が回すことで回転操作可能とされている。
但し、図２，４にも示すように、ダイヤル６１０の室内突出部分は、縦枠１３の室内側に設けられた額縁材５よりも室内側に突出しないように配置されている。また、ダイヤル６１０は額縁材５の開口部３側の側面に近接して配置されている。
また、図８に示すように、ダイヤル６１０の外周面には、所定間隔で凹部６１１が形成されており、この凹部６１１に指を掛けることでダイヤル６１０を容易に回転操作できるように構成されている。
【００２７】
回転伝達手段６２０は、図６にも示すように、ダイヤル６１０と同軸に設けられて一体に回転する歯車６２１と、互いに噛合する３つの歯車６２２，６２３，６２４を備えて構成されて歯車６２１の回転力を伝達する動力伝達歯車６２５と、歯車６２４と同軸に設けられて一体に回転する第１プーリ６２６と、第１プーリ６２６に対して所定間隔離れて配置された第２プーリ６２７と、各プーリ６２６，６２７間に巻き掛けられたベルト６２８と、第２プーリ６２７と同軸に設けられて一体に回転する歯車６２９とを備えて構成されている。
なお、動力伝達歯車６２５の歯車の数によって、ダイヤル６１０の操作方向に対する上部障子２０の移動方向が設定されるため、歯車の数は希望する操作方向に応じて設定すればよい。
また、動力伝達歯車６２５の増減速比によって、ダイヤル６１０の回転角度に対する上部障子２０の移動量が設定されるため、歯車の増減速比は希望する回転角度に応じた移動量によって設定すればよい。
【００２８】
ここで、ダイヤル６１０、歯車６２１〜６２４、第１プーリ６２６は、図８，９に示すように、ベースプレート６３１およびカバープレート６３２間に回転自在に軸支され、操作伝達ユニット６３０としてユニット化されている。
従って、ダイヤル６１０等を縦枠１３内に配置する場合には、予め各プレート６３１，６３２間にダイヤル６１０や歯車６２１〜６２４等を組み込んでユニット化された操作伝達ユニット６３０のベースプレート６３１を縦枠１３にビス止めすることで簡単な作業で取り付けることができる。
【００２９】
縦枠１３は、図７に示すように、アルミ押出形材製の室内部材１３１、室外部材１３２、室内レール部材１３３、および室外レール部材１３４と、室内部材１３１と室外部材１３２とを連結する樹脂製の断熱部材１３５と、室内レール部材１３３と室外レール部材１３４とを連結する樹脂製の断熱部材１３６とを備えて中空状に形成されている。そして、室外部材１３２が建物躯体４にビス止め固定され、室内レール部材１３３が室内部材１３１に、室外レール部材１３４が室外部材１３２に、それぞれビス止め固定されている。
【００３０】
従って、本実施形態では、縦枠１３の室内部材１３１に前記操作伝達ユニット６３０をビス止めした後に、各レール部材１３３，１３４を室内部材１３１、室外部材１３２にビス止めすることで、操作伝達ユニット６３０を縦枠１３内部に配置している。
なお、縦枠１３や額縁材５において、ダイヤル６１０および歯車６２１と干渉する部分は予め切り欠かれており、ダイヤル６１０や歯車６２１が縦枠１３等にぶつからないように構成されている。
【００３１】
室内レール部材１３３および室外レール部材１３４は、左右見付け方向内側（縦枠１３の内側面側）に向かって開口した断面略Ｃ字形に形成されており、それぞれ上部障子２０および下部障子３０を上下に案内可能に構成されている。
すなわち、室内レール部材１３３および室外レール部材１３４には、上下方向に連続してつまり縦枠長手方向に沿ったガイド溝がそれぞれ形成されている。
【００３２】
障子開閉手段６５０は、図５，６に示すように、上部障子２０の下端面における左右両端に取り付けられたスライダー部材であるスライドシュー２５と、各スライドシュー２５に一端がそれぞれ取り付けられたロープ６５１，６５２と、各ロープ６５１，６５２をガイドする滑車６５３と、各ロープ６５１，６５２の他端が連結されたバランサー装置６５５と、各ロープ６５１，６５２の途中が巻かれた回転ドラム６５６，６５７と、各回転ドラム６５６，６５７の回転を同期させる同期手段であるロッド棒６６０とを備えて構成されている。
【００３３】
スライドシュー２５は、前記室外レール部材１３４のガイド溝内に、上下方向にスライド可能に配置されている。
【００３４】
バランサー装置６５５は、図５にも示すように、上枠１１の中空部内に配置されている。バランサー装置６５５は、ロープ６５１，６５２を介して加わる上部障子２０の重量と、内部の定荷重バネのばね力とが釣り合うように設定された一般的なバランサー装置である。具体的には、ロープ６５１，６５２が連結された巻取リールと、この巻取リールが取り付けられた巻取軸と、この巻取軸に連結されて巻取軸を介して巻取リールを回転させて前記ロープ６５１，６５２の巻取を可能とする定荷重バネとを備えて構成され、ロープ６５１，６５２を介して加わる上部障子２０の重量と、定荷重バネのばね力とが釣り合い、外力が加わらない限り、巻取リールが回転しないように設定されている。
なお、本実施形態では、２台のバランサー装置６５５を設け、各バランサー装置６５５に各ロープ６５１，６５２を連結しているが、２本のロープ６５１，６５２を連結支持可能な１台のバランサー装置を設けてもよい。
【００３５】
ロープ６５１，６５２は、鋼鉄線をより合わせた鋼製のワイヤーロープや、炭素繊維等の高強度繊維を編んだもの等で構成される。このロープ６５１，６５２は、縦枠１３の室外レール部材１３４内に形成されたガイド溝部分に挿通され、その一端は各スライドシュー２５に連結され、他端は縦枠１３の上端部側に設けられた滑車６５３を介して前記バランサー装置６５５の巻取リールにそれぞれ連結されている。
【００３６】
回転ドラム６５６，６５７は、それぞれ回転軸６５８，６５９と、ロープ６５１，６５２が巻かれるロープ巻取面を有する回転ドラム本体６６６，６６７とを備える。各回転軸６５８，６５９はロッド棒６６０で連結されている。また、回転軸６５８には、前記回転伝達手段６２０の歯車６２９に噛合する歯車６６１が固定されている。さらに、回転ドラム６５６，６５７の各回転軸６５８，６５９やロッド棒６６０は、窓枠１０に対して回転自在に支持されている。
このため、回転伝達手段６２０によって歯車６６１が回転されると、回転軸６５８，６５９およびロッド棒６６０を介して各回転ドラム６５６，６５７が互いに同期して回転するように構成されている。
【００３７】
ここで、図１０にも示すように、回転軸６５８，６５９には回転板６６２が固定されている。回転板６６２には３本のガイドピン６６３が突出されており、このガイドピン６６３は、回転ドラム本体６６６，６６７に形成された３本の貫通孔に挿通されている。ガイドピン６６３の端面は、回転軸６５８，６５９に取り付けられた係止板６６４に当接されている。また、回転ドラム本体６６６，６６７には、前記各回転軸６５８，６５９が挿通可能な貫通孔が形成されている。
このため、回転ドラム本体６６６，６６７は、ガイドピン６６３に沿って回転軸６５８，６５９の軸方向にスライド移動可能とされ、かつ、回転軸６５８，６５９の回転に伴い回転板６６２が回転すると、ガイドピン６６３を介して回転ドラム本体６６６，６６７も回転されるように構成されている。
【００３８】
回転ドラム本体６６６，６６７の外表面（ロープ巻取面）には、螺旋状の溝６６５が形成され、前記ロープ６５１，６５２は、溝６６５に沿って一巻き分のみ巻かれている。なお、このロープ６５１，６５２の巻数は、一巻きに限らず、要するに、上部障子２０がスムーズに上下動する最適な巻数に設定すればよい。
【００３９】
ロッド棒６６０は、図１１にも示すように、第１ロッド部材６８１と、第２ロッド部材６８５とを備えて構成されている。
第１ロッド部材６８１は、円筒状に形成されたパイプ６８２と、このパイプ６８２の一端側に挿入されてビス止めされたボルト部材６８３とを備えて構成されている。パイプ６８２の他端には、前記回転軸６５８が挿入されてビス止めされている。なお、回転軸６５８においてビスが挿入されるビス孔６５８Ａは長孔とされ、回転軸６５８はパイプ６８２に対して軸方向に位置調整可能にビス止めされている。
【００４０】
第２ロッド部材６８５は、略円筒状に形成され、その一端には前記回転軸６５９が挿入されてビス止めされている。
また、第２ロッド部材６８５の他端には、前記ボルト部材６８３が螺合可能なネジ穴６８６が形成されている。
【００４１】
ここで、前記ボルト部材６８３には、ナット６８７も螺合されている。このため、第１ロッド部材６８１のボルト部材６８３に対して第２ロッド部材６８５を回転させ、所望の回転位置になった時点でナット６８７を締め付けることでその回転位置で連結することができる。これにより、第１ロッド部材６８１に対する第２ロッド部材６８５の軸回りの取付角度を調整することができ、一方の回転ドラム６５６に対する他方の回転ドラム６５７の回転方向の取付角度を調整することができるように構成されている。
【００４２】
なお、前記ベルト６２８は、オープンベルトを使用しており、操作伝達ユニット６３０および障子開閉手段６５０を先に独立して窓枠１０に取り付けた後、直線状のベルトを各プーリ６２６，６２７間に架け渡してベルトの端部同士を連結して取り付けている。
【００４３】
次に、上部障子２０の障子開閉手段６５０の施工作業について説明する。
まず、ロッド棒６６０で連結された回転ドラム６５６，６５７を配置し、窓枠１０に対して回転自在に支持する。
また、内部の巻取リールなどに各ロープ６５１，６５２の一端を予め連結したバランサー装置６５５と滑車６５３とを、上枠１１部分に設ける。
各ロープ６５１，６５２は、回転ドラム６５６，６５７の回転ドラム本体６６６，６６７に１巻き以上巻き付け、その他端をスライドシュー２５に取り付ける。
【００４４】
ここで、バランサー装置６５５の巻取リールに巻き付けられた各ロープ６５１，６５２を引き出して、回転ドラム６５６，６５７に巻き付ける際に、その引き出し力が各ロープ６５１，６５２で異なると、ロープ６５１，６５２において各回転ドラム６５６，６５７に巻き付けられた位置が異なることになる。このため、回転ドラム６５６，６５７からスライドシュー２５までのロープ６５１，６５２の長さも相違し、上部障子２０が傾いてしまう場合がある。
このように上部障子２０が傾いた場合には、ロッド棒６６０のナット６８７を緩め、第１ロッド部材６８１および第２ロッド部材６８５を相対的に回転させればよい。これにより、各ロープ６５１，６５２において回転ドラム６５６，６５７に巻き付けられた位置を調整できる。すなわち、回転ドラム６５６に対する回転ドラム６５７の回転方向の取付角度を、上部障子２０の上框２１が水平となる状態に調整し、ナット６８７を締め付けることでその取付角度を固定すればよい。
なお、第１ロッド部材６８１および第２ロッド部材６８５を相対的に回転させると、ボルト部材６８３とネジ穴６８６との螺合位置が変化するため、ロッド棒６６０の長さ寸法も変化する。そのため、パイプ６８２に回転軸６５８を取り付けるビスを緩めておき、パイプ６８２に対して回転軸６５８を軸方向に移動してロッド棒６６０の長さ寸法を調整すればよい。
以上により、障子開閉手段６５０の施工作業が完了する。
【００４５】
次に、上部障子２０の開閉操作について説明する。
本実施形態においては、ダイヤル６１０の室内露出部分を下側に向けて回転すると、回転伝達手段６２０を介して障子開閉手段６５０の各回転ドラム６５６，６５７が同期して回転し、ロープ６５１，６５２を同量巻き上げる。このため、上部障子２０は傾くことなく上方に移動する。
一方、ダイヤル６１０の室内露出部分を上側に向けて回転すると、回転伝達手段６２０を介して障子開閉手段６５０の各回転ドラム６５６，６５７が同期して回転し、ロープ６５１，６５２は同量繰り出される。このため、上部障子２０は傾くことなく下方に移動する。
この際、上部障子２０の荷重はバランサー装置６５５で支持されているので、ダイヤル６１０の操作による回転ドラム６５６，６５７の回転には上部障子２０の荷重は影響しない。このため、小さな力でダイヤル６１０を回転させても、上部障子２０を上下動することができる。
【００４６】
なお、下部障子３０には、図７に示すように、室内レール部材１３３内をスライド移動可能なスライドシュー３６が取り付けられ、このスライドシュー３６をロープ（図示略）を介してバランサー装置（図示略）に連結することで下部障子３０の荷重をバランサー装置で支持でき、手動操作で下部障子３０を上下動する際に、比較的小さな力で操作できるように構成されている。
また、下部障子３０は、下部障子３０下端面に取り付けられたスライドシュー３６の軸芯部分を回転軸とし、上框３１側を室内側に倒すことで内倒し可能に構成されている。
【００４７】
このような本実施形態によれば、以下のような効果がある。
（１）ロッド棒６６０によって互いに連結されて同期して回転する回転ドラム６５６，６５７を設け、上部障子２０を吊り上げ支持するロープ６５１，６５２の中間部をこの回転ドラム６５６，６５７に巻き付け、その各端部をバランサー装置６５５およびスライドシュー２５に取り付けているので、ダイヤル６１０を操作して各回転ドラム６５６，６５７の回転を同期化することができる。このため、左右のロープ６５１，６５２の巻き上げ量や繰り出し量が同一となり、上部障子２０は傾くことなく、上框２１が水平な状態のまま上下に移動されるため、上部障子２０をスムーズに開閉できる。
【００４８】
（２）また、ダイヤル６１０および回転伝達手段６２０を介して回転ドラム６５６，６５７を回転することで上部障子２０を上下移動して開閉することができるので、上部障子２０を遠隔操作で開閉できる。このため、上部障子２０を利用者が直接持ち上げて開閉する必要がなく、壁面において高い位置に設けられた上げ下げ窓の可動障子であっても遠隔操作で容易に開閉することができる。
【００４９】
（３）ダイヤル６１０の手動操作によって上部障子２０を開閉することができるので、モータによって障子を開閉する場合のように、上げ下げ窓１に電気配線を設ける必要が無く、その分、上げ下げ窓１の施工時の配線作業が不要になって施工作業性を向上できる。
【００５０】
（４）ロープ６５１，６５２の一端をスライドシュー２５に取り付け、他端をバランサー装置６５５に取り付け、ロープ６５１，６５２の中間部を回転ドラム６５６，６５７に巻回するように構成しているので、スライドシュー２５やバランサー装置６５５は従来の上げ下げ窓と同様のものが利用できる。このため、回転ドラム６５６，６５７、ロッド棒６６０、手動操作部であるダイヤル６１０、回転伝達手段６２０等を新たに設けるだけで上げ下げ窓１を構成でき、遠隔操作可能な上げ下げ窓１を比較的安価に製造できる。
【００５１】
（５）回転ドラム６５６，６５７の回転ドラム本体６６６，６６７に溝６６５を形成し、かつ、回転ドラム本体６６６，６６７をガイドピン６６３によってスラスト方向にスライド可能に設けたので、回転ドラム６５６，６５７を回転させた際に、各ロープ６５１，６５２を螺旋状の溝６６５に沿って巻くことができ、ロープ６５１，６５２同士が擦れることを防止できる。このため、擦れによる音の発生やロープの破損を防止できる。また、溝６６５が形成されていない場合には、ロープ６５１，６５２が回転ドラム６５６，６５７の一部分にまとまって巻き付いてしまい、各回転ドラム６５６，６５７を同期して回転させてもロープ６５１，６５２の巻き上げ量や繰り出し量がばらつくおそれがあるが、本実施形態では、ロープ６５１，６５２を溝６６５に沿って巻き付けているので、ロープの巻き上げ量や繰り出し量を安定させることができる。
【００５２】
（６）ロッド棒６６０を第１ロッド部材６８１、第２ロッド部材６８５の２部材で構成し、かつ、第１ロッド部材６８１に対して第２ロッド部材６８５の軸回りの取付角度を調整可能に連結しているので、一方の回転ドラム６５６に対する他方の回転ドラム６５７の回転方向の角度を調整することができる。このため、初期設定時に、各ロープ６５１，６５２を回転ドラム６５６，６５７に巻いて上部障子２０に連結した際に、ロープ６５１，６５２の回転ドラム６５６，６５７から上部障子２０までの繰り出し量が同一となって上部障子２０の上框２１が水平となるように容易に調整でき、上部障子２０が傾斜して配置されることを確実に防止できる。
【００５３】
（７）遠隔操作装置６００のダイヤル６１０は、縦枠１３に配置されてその室内面に露出しているので、ダイヤル６１０の高さ位置は縦枠１３の上端から下端の範囲で自由に設定できる。このため、上部障子２０の位置に関係なく、利用者が操作しやすい高さにダイヤル６１０を設けることができ、上部障子２０の開閉操作性を向上できる。
【００５４】
（８）ダイヤル６１０は、その左右見付け幅寸法が縦枠１３の左右見付け幅寸法よりも小さくされ、かつ縦枠１３の室内面のみに露出するように縦枠１３内部に配置されているので、ダイヤル６１０が縦枠１３の内側面側つまり障子側に突出することがない。このため、下部障子３０を内倒しなどして室内側に開いた場合でも、下部障子３０がダイヤル６１０にぶつかることを防止でき、下部障子３０を十分に開くことができる。
また、ダイヤル６１０は縦枠１３の外側面側つまり建物躯体４側に突出することもないため、窓枠１０の設置時に建物躯体４側に影響を及ぼすことがなく、上げ下げ窓１を容易に施工することができる。
【００５５】
（９）ダイヤル６１０を回転操作するだけで上部障子２０を上下動させることができるので、例えば手動操作部を縦枠１３に沿って上下方向にスライド移動させて上部障子２０を開閉する場合に比べて、ダイヤル６１０を操作する手を上下に移動させなくてよいため、操作性を向上できる。
また、手動操作部としてダイヤル６１０を用いたので、容易に回転操作することができ、かつ、ダイヤル６１０は簡易な形状であるため製造コストも低減できる。
【００５６】
（10）回転伝達手段６２０として、複数の歯車６２１〜６２４を設けているので、ダイヤル６１０の操作方向に対する障子２０の開閉方向や、ダイヤル６１０の回転角度に対する障子２０の開閉移動量を、歯車の数や増減速比によって容易に設定できる。
また、回転伝達手段６２０に、第１プーリ６２６および第２プーリ６２７とベルト６２８とを設けたので、ダイヤル６１０と、障子開閉手段６５０とが離れて配置されていても、容易に回転力を伝達できる上、部品数を少なくでき、コストも低減できる。
【００５７】
（11）ダイヤル６１０や回転伝達手段６２０の歯車６２１〜６２４を操作伝達ユニット６３０としてユニット化しているので、ダイヤル６１０等を縦枠１３内部に容易に取り付けることができ、組立、施工作業性を向上できる。
【００５８】
（12）ベルト６２８としてオープンベルトを用いたので、操作伝達ユニット６３０および障子開閉手段６５０を先に独立して窓枠１０に取り付けた後にベルト６２８を各プーリ６２６，６２７間に架け渡すことができる。このため、部品の取付作業や施工作業、交換作業を容易に行うことができる。
また、上げ下げ窓１のサイズなどによって、各プーリ６２６，６２７間の間隔、つまりベルト６２８のサイズを異ならせる必要があり、予めループ状に形成されたベルトを用いる場合には、サイズの異なるベルトを用意しなければならないが、オープンベルトを用いれば、前記サイズに合わせてベルトを切断して長さを設定すればよいため、サイズ毎にベルトを用意する必要もなく、かつサイズ変更を容易に行えるため、ダイヤル６１０の位置を自由に設定できる。
【００５９】
（13）障子開閉手段６５０として、障子２０の荷重を支持するバランサー装置６５５を設けたので、障子２０を上下動させる際にその障子２０の荷重の影響を無くすことができる。従って、ダイヤル６１０を手動で操作しても容易に回転ドラム６５６，６５７を回転させて障子２０を上下動させることができ、開閉操作性をより向上できる。
【００６０】
〔第２実施形態〕
次に、本発明の第２実施形態について、図１２，１３に基づいて説明する。
前記実施形態では、ロープ６５１，６５２の端部を直接バランサー装置６５５に連結していたが、本実施形態ではロープ６５１，６５２を直接バランサー装置６５５に連結せず、ロープ６５１，６５２に加わる荷重を間接的にバランサー装置６５５で支持するように構成されている。
【００６１】
すなわち、本実施形態の障子開閉手段６５０Ａでは、各ロープ６５１，６５２の一端はスライドシュー２５に取り付けられ、他端は回転ドラム６５６，６５７の回転ドラム本体６６６，６６７に連結されて巻き付けられている。
そして、回転ドラム６５６，６５７と同期して回転する回転軸６５８，６５９やロッド棒６６０のいずれか（本実施形態では回転軸６５８）には、歯車７０１が固定されている。
【００６２】
この歯車７０１には歯車７０２が噛合され、歯車７０２の回転軸７０３はバランサー装置６５５に連結されている。この際、図１３に示すように、回転軸７０３の先端は断面が四角形状の角軸とされている。また、バランサー装置６５５は、定荷重バネ７１１が巻かれたドラム７１２を備え、このドラム７１２の中心軸には四角形状の角穴７１３が形成されている。
従って、回転軸７０３の角軸部分をドラム７１２の角穴７１３に差し込むだけで、歯車７０２とバランサー装置６５５のドラム７１２とは同期して回転する。
なお、図１３では、歯車６６１，６２９等は省略している。
【００６３】
このような本実施形態においては、上部障子２０の重量はロープ６５１，６５２を介して回転ドラム６５６，６５７に伝わる。このため、回転ドラム６５６，６５７はロープ６５１，６５２を介して下方に引っ張られ、所定の第１方向に回転しようとする。一方、回転ドラム６５６，６５７に連結された回転軸６５８は、歯車７０１、歯車７０２、回転軸７０３を介してバランサー装置６５５の定荷重バネ７１１に連結され、前記回転ドラム６５６，６５７を前記第１方向とは逆方向である第２方向に回転しようとする。
そして、前記上部障子２０の重量によって加わる回転ドラム６５６，６５７を回転させようとする力と、前記定荷重バネ７１１のばね力とが釣り合うように設定されている。なお、本実施形態では、バランサー装置６５５は１台のみ設けられているので、前記第１実施形態のように２台のバランサー装置６５５を設けた場合に比べて、約２倍のばね力を有する定荷重バネ７１１を用いている。
このため、歯車７０１、歯車７０２、回転軸７０３によって、回転ドラム６５６，６５７を所定の方向に回転させようとする上部障子２０の荷重をバランサー装置６５５に伝達する荷重伝達手段７００が構成されている。
【００６４】
このような本実施形態においても、ダイヤル６１０を操作し、回転伝達手段６２０を介して各回転ドラム６５６，６５７を回転させると、ロープ６５１，６５２が巻き上げられたり、繰り出されたりして上部障子２０が上下に移動し、開閉される。
この際、上部障子２０の荷重は、歯車７０１、歯車７０２、回転軸７０３等を介してバランサー装置６５５で支持されているので、ダイヤル６１０の操作による回転ドラム６５６，６５７の回転には上部障子２０の荷重は影響しない。このため、小さな力でダイヤル６１０を回転させても、上部障子２０を上下動することができる。
【００６５】
このような本実施形態によれば、前述の(１)〜(３）、（５）〜（13)の効果に加えて以下のような効果がある。
（14）バランサー装置６５５にロープ６５１，６５２を直接連結せず、歯車７０１、７０２、回転軸７０３からなる荷重伝達手段７００を介してバランサー装置６５５を連結しているので、バランサー装置６５５を簡単に交換することができる。特に、前記実施形態では、バランサー装置６５５の定荷重バネ７１１が巻き付けられたドラム７１２の角穴７１３に、歯車７０２の回転軸７０３の角軸を差し込んで連結しているため、バランサー装置６５５を非常に簡単に交換することができる。
このため、上部障子２０に組み込まれるガラスの厚さ寸法の変更によって障子２０の重量が変化した場合や、バランサー装置６５５が破損した際に、バランサー装置６５５を容易に交換することができ、迅速に対応できる。
【００６６】
なお、本発明は、前記各実施形態に限定されるものではなく、本発明の目的を達成できる他の構成等を含み、以下に示すような変形等も本発明に含まれる。
例えば、回転駆動手段としては、前記実施形態のように、手動操作部であるダイヤル６１０と、ダイヤル６１０の回転動作を伝達する回転伝達手段６２０とで構成されるものに限らない。例えば、歯車６６１に噛合する出力軸を有するモータと、このモータの駆動をコントロールするスイッチとを備えた電動駆動式の回転駆動手段を用いてもよい。なお、スイッチは、窓枠に取り付けられたものでもよいし、リモコンに設けられたものでもよい。要するに、有線、無線を問わず、モータに対して駆動信号を出力し、その駆動や停止を指示できるものであればよい。
【００６７】
回転伝達手段６２０としては、前記実施形態の構成に限らない。例えば、ベルト６２８およびプーリ６２６，６２７の代わりにチェーンおよびスプロケットを設けてもよい。さらに、ベルトやチェーンを設ける代わりに、歯車を組み合わせて回転力を伝達してもよい。
さらに、歯車６２１〜６２４を設けずに、ダイヤル６１０等の手動操作部に直接プーリ６２６を取り付けてもよい。
要するに、回転伝達手段６２０は遠隔操作を行うために回転ドラム６５６，６５７を回転させる力を伝達できるものであればよく、例えば、ラックおよびピニオン、ボールネジ等のスクリュー駆動機構、ガス（エア）や油圧を用いたダンパーなどの各種の駆動機構を用いてもよい。
【００６８】
前記回転ドラム６５６，６５７は、螺旋状の溝６６５を備えない円筒状のロープ巻取面を備えるものでもよい。また、回転ドラム６５６，６５７は、回転軸６５８，６５９に対してスライド移動可能に設けられていなくてもよい。
【００６９】
各回転ドラム６５６，６５７を同期して回転させる同期手段としては、前記ロッド棒６６０に限らない。例えば、各回転軸６５８，６５９にそれぞれ歯車６６１を固定し、回転伝達手段６２０によって回転される歯車６２９を２つ設けて各歯車６６１に噛合することで、ロッド棒６６０を設けずに各回転ドラム６５６，６５７の回転を同期させてもよい。要するに、同期手段は、各回転ドラム６５６，６５７の回転を同期させることができるものであればよい。
【００７０】
前記ロッド棒６６０は、２つのロッド部材６８１，６８２で構成されるものに限らず、１本のロッド棒で構成されるものでもよい。この場合には、各回転ドラム６５６，６５７の角度調整が行えないため、スライドシュー２５にロープ６５１，６５２の長さ等を調整する調整機構を設けて可動障子２０が水平となるように調整する必要がある。
【００７１】
第２実施形態における荷重伝達手段７００は、歯車７０１、７０２、回転軸７０３で構成されるものに限らず、ロープ６５１，６５２を介して回転ドラム６５６，６５７に加わる可動障子の荷重をバランサー装置６５５に伝達できるものであればよい。
【００７２】
手動操作部としては、前記各実施形態の構成に限らず、歯車６２１を両方向に回転可能なバータイプや、オペレータハンドルタイプなどでもよい。さらに、前記ベルト６２８を上下方向に移動させるようなスライドレバータイプの手動操作部を用いてもよい。要するに、手動操作部は、回転ドラム６５６，６５７を回転させて上部障子２０を上下動可能に構成されていればよい。
【００７３】
また、前記各実施形態では、上部障子２０および下部障子３０がそれぞれ上下にスライド開閉可能に構成されていたが、これに限らず、上部障子が上下動のほか、突出し形式や内倒し形式、開き形式、辷出し形式等で開閉されるものでもよく、また下部障子３０が開閉不能な固定障子であってもよい。
【００７４】
その他、本発明を実施するための最良の構成、方法などは、以上の記載で開示されているが、本発明は、これに限定されるものではない。すなわち、本発明は、主に特定の実施形態に関して特に図示され、かつ説明されているが、本発明の技術的思想および目的の範囲から逸脱することなく、以上述べた実施形態に対し、形状、材質、数量、その他の詳細な構成において、当業者が様々な変形を加えることができるものである。
従って、上記に開示した形状、材質などを限定した記載は、本発明の理解を容易にするために例示的に記載したものであり、本発明を限定するものではないから、それらの形状、材質などの限定の一部もしくは全部の限定を外した部材の名称での記載は、本発明に含まれるものである。
【図面の簡単な説明】
【００７５】
【図１】本発明の第１実施形態に係る上げ下げ窓を室外側から見た正面図である。
【図２】前記上げ下げ窓を示す縦断面図である。
【図３】前記上げ下げ窓を示す横断面図であり、上部障子位置での横断面図である。
【図４】前記上げ下げ窓を示す横断面図であり、下部障子位置での横断面図である。
【図５】前記上げ下げ窓における遠隔操作装置の構成を示す概略斜視図である。
【図６】前記上げ下げ窓における要部を示す概略斜視図である。
【図７】前記上げ下げ窓における縦枠を拡大して示す横断面図である。
【図８】前記遠隔操作装置における操作伝達ユニットを示す図である。
【図９】前記遠隔操作装置における操作伝達ユニットを示す側面図である。
【図１０】前記遠隔操作装置における回転ドラムを示す図である。
【図１１】前記遠隔操作装置におけるロッド棒６６０を示す図であり、（Ａ）は各ロッド部材の連結状態を示す図、（Ｂ）は第２ロッド部材とボルト部材の連結構造を示す図である。
【図１２】本発明の第２実施形態の要部を示す斜視図である。
【図１３】第２実施形態の荷重伝達手段を示す斜視図である。
【符号の説明】
【００７６】
１…上げ下げ窓、１０…窓枠、１３…縦枠、２０…上部障子、３０…下部障子、２５…スライドシュー、６００…遠隔操作装置、６１０…手動操作部であるダイヤル、６２０…回転伝達手段、６２１〜６２４…歯車、６２６…第１プーリ、６２７…第２プーリ、６２８…ベルト、６３０…操作伝達ユニット、６５０…障子開閉手段、６５１，６５２…ロープ、６５５…バランサー装置、６５６，６５７…回転ドラム、６５８，６５９…回転軸、６６０…同期手段であるロッド棒、６６５…溝、６６６，６６７…回転ドラム本体、６８１…第１ロッド部材、６８５…第２ロッド部材、６５０Ａ…障子開閉手段、７００…荷重伝達手段。
【図１】
2006266013.tif 000003
【図２】
2006266013.tif 000004
【図３】
2006266013.tif 000005
【図４】
2006266013.tif 000006
【図５】
2006266013.tif 000007
【図６】
2006266013.tif 000008
【図７】
2006266013.tif 000009
【図８】
2006266013.tif 000010
【図９】
2006266013.tif 000011
【図１０】
2006266013.tif 000012
【図１１】
2006266013.tif 000013
【図１２】
2006266013.tif 000014
【図１３】
2006266013.tif 000015